(57)【要約】【課題】明るさを変化させる表示制御を行う表示装置について、利用者により分かりやすい表示と消費電力の制御を行うことを課題とする。【解決手段】表示部と、表示信号を入力する信号入力部と、表示画面に表示される情報の変化を検出すべき特定領域を設定する設定入力部と、入力された表示信号から生成された表示画面全体の表示情報を入力画像として記憶する第１記憶部と、第１記憶部に記憶された入力画像から、設定された特定領域に属する表示情報を抽出する比較画像抽出部と、抽出された表示情報を比較画像として記憶する第２記憶部と、現在の表示信号から生成された特定領域の表示情報と、記憶されていた比較画像とを比較してその特定領域の画像の変化を検出する変化検出部と、変化があったことを検出したとき、特定領域に予め関係づけられた明るさを制御する表示領域の明るさを上げるように表示制御をする表示制御部とを備える。【選択図】図４
2010282127.tif 000002
【特許請求の範囲】
【請求項１】
画像を含む表示情報を表示画面に表示する表示部と、
映像信号を含む表示信号を入力する信号入力部と、
前記表示画面に表示される情報の変化を検出すべき特定領域を設定する設定入力部と、
前記信号入力部によって入力された表示信号から生成された表示画面全体の表示情報を入力画像として記憶する第１記憶部と、
前記第１記憶部に記憶された入力画像から、前記設定された特定領域に属する表示情報を抽出する比較画像抽出部と、
比較画像抽出部によって抽出された表示情報を、比較画像として記憶する第２記憶部と、
前記信号入力部によって入力された表示信号から生成された前記特定領域の表示情報と、第２記憶部に記憶されていた比較画像とを比較して、その特定領域の画像の変化を検出する変化検出部と、
前記変化検出部により変化を検出することにより、表示画面の一部の領域であって前記特定領域に予め関係づけられた明るさを制御する表示領域の明るさを上げるように表示制御をする表示制御部とを備えることを特徴とする表示装置。
【請求項２】
前記設定入力部は、表示画面上の任意の２点以上を指示入力することにより、前記特定領域を設定する範囲設定部を備えることを特徴とする請求項１の表示装置。
【請求項３】
前記表示部に表示された表示画像がＮ個（Ｎ≧２）の分割画面に分割されている場合、前記設定入力部は、Ｎ個の分割画面のうち、いずれか１つ以上の分割画面を選択させることにより、前記特定領域を設定する領域選択部を備えることを特徴とする請求項１の表示装置。
【請求項４】
前記領域選択部は、選択された分割画面を、前記明るさを制御する表示領域にも設定することを特徴とする請求項３の表示装置。
【請求項５】
前記設定入力部は、前記設定された特定領域と関係づけた明るさを制御する表示領域を、表示画面上の任意の位置に設定する明るさ制御領域設定部を備えることを特徴とする請求項１，２，３または４のいずれかの表示装置。
【請求項６】
前記変化検出部が変化を検出する表示領域が、前記特定領域であり、前記表示制御部が明るさを制御する表示領域も同じ特定領域であることを特徴とする請求項１の表示装置。
【請求項７】
前記変化検出部が変化を検出する表示領域が、前記特定領域であり、前記表示制御部によって明るさを制御する表示領域が、前記領域選択部によって選択された分割画面であることを特徴とする請求項４の表示装置。
【請求項８】
前記変化検出部は、前記現在の表示信号から生成された特定領域の表示情報と、前記比較画像との各画素どうしの輝度値の差が所定値以上の場合に、前記特定領域の画像に変化があったと判断することを特徴とする請求項１の表示装置。
【請求項９】
前記表示制御部が明るさを制御する表示領域の明るさを上げる制御をした後、所定の時間が経過した場合に、予め設定されていた省電力状態の明るさ値に基づいて、表示制御部が表示画面全体の明るさを下げるように表示制御することを特徴とする請求項１乃至８のいずれかの表示装置。
【請求項１０】
コンピュータを、
画像を含む表示情報を表示画面に表示する表示手段と、
映像信号を含む表示信号を入力する信号入力手段と、
前記表示画面に表示される情報の変化を検出すべき特定領域を設定する設定入力手段と、
前記信号入力手段によって入力された表示信号から生成された表示画面全体の表示情報を入力画像として記憶する第１記憶手段と、
前記第１記憶手段に記憶された入力画像から、前記設定された特定領域に属する表示情報を抽出する比較画像抽出手段と、
比較画像抽出手段によって抽出された表示情報を、比較画像として記憶する第２記憶手段と、
前記信号入力手段によって入力された表示信号から生成された前記特定領域の表示情報と、第２記憶手段に記憶されていた比較画像とを比較して、その特定領域の画像の変化を検出する変化検出手段と、
前記変化検出手段により変化を検出することにより、表示画面の一部の領域であって前記特定領域に予め関係づけられた明るさを制御する表示領域の明るさを上げるように表示制御をする表示制御手段として機能させるための、表示制御プログラム。
【発明の詳細な説明】
【技術分野】
【０００１】
この発明は、表示装置に関し、特に、画面に表示される情報に基づいて、消費電力を制御する機能を有する表示装置に関する。
【背景技術】
【０００２】
今日、ＣＲＴ，ＬＣＤ，ＰＤＰなど種々の表示装置（以下、モニターとも呼ぶ）が開発されているが、消費電力を少なくする種々の工夫がされている。
例えば、モニターが持つ明るさ調整機能を利用して、利用者自らの操作によって明るさを下げることにより、消費電力を少なくすることが行われている。
【０００３】
また、パソコン等のコンピュータの表示装置の場合、いわゆるスクリーンセーバ機能を利用して自動的に消費電力を少なくすることが行われている。すなわち、予め設定した一定時間以上、パソコンでのキー操作等がなかった場合、自動的にモニターの明るさを下げたり、省エネモードの画面表示に切り換えたり、あるいは、モニター自身を待機状態にするなどの処理が行われている。
【０００４】
さらに、モニターに、周辺の明るさを検知する「明るさセンター」を備え、検知した明るさが、所定のしきい値よりも明るくなれば、モニターの明るさを自動的に上げ、そのしきい値よりも暗くなれば、モニターの明るさを自動的に下げるような、自動明るさ調整が行われている。
【０００５】
また、携帯電話では、電池の消耗を少なくするために、省電力機能を備え、キー操作や着信などがあったときに省電力状態を解除してディスプレイの明るさを上げる（通常の明るさに戻す）ことが行われている。
【０００６】
さらに、ディスプレイに表示された画像の変化を検出し、所定の基準以上の変化が検出された場合に、ディスプレイの省電力状態を解除し、そのディスプレイの画面全体の明るさを上げる技術も提案されている（特許文献１参照）。
【先行技術文献】
【特許文献】
【０００７】
【特許文献１】特開２００８−２２７６７２号公報
【発明の概要】
【発明が解決しようとする課題】
【０００８】
しかし、従来技術において、利用者の特定操作や一定時間の経過によって表示の明るさを調整するものでは、表示される画像などに含まれる情報の変化は考慮されていないので、明るさを低くした状態において表示される情報に変化があり、重要な情報が表示されたとしても、利用者がキー操作をしない場合には、その重要な情報に気がつかない場合があった。
【０００９】
また、特許文献１では、表示画像に変化があった場合、省電力状態が解除されるので、表示画面全体が明るくなり、利用者は表示画像に何か変化があったことに気がつく。しかし、画面上に非常に多くの文字情報や画像が表示されている場合において、その画面上のある特定の部分のみに変化があった場合、どの部分に変化があったのかを利用者が知ることが難しい場合がある。
【００１０】
たとえば、表示画面上の右下の小さな領域の中に、「ウィルスが検出されました」というような重要な情報が更新表示された場合、画面全体が明るくなるが、利用者は表示画面の中のどの部分が変化したかを探さなければならず、重要な情報が表示されたことをすぐに知ることができない場合がある。
【００１１】
また、プレゼンテーションなどで大型モニターを多数の人が見ている場合、一度表示画面の情報を見てしまうと、表示情報に変化がない場合は、明るさを下げて表示しても特に問題はない。特に、大型モニターは消費電力が大きいので、低消費電力化のためには、可能な限り明るさを下げる制御をすることが好ましい。
一方、表示情報に変化があった場合、その変化した部分に注目してもらいたいことが多いと考えられるので、省エネモードの状態を解除して表示画面全体の明るさを上げるだけでは、利用者はどの部分に注目してよいかわかりにくい。
【００１２】
すなわち、表示情報が変化した場合、利用者にわかりやすく情報提供をするという観点から、その変化した部分のみや、その変化部分に関連した表示情報などを、その他のあまり重要でない部分と区別して表示させることが望まれる。
そこで、この発明は、以上のような事情を考慮してなされたものであり、消費電力の削減を図るとともに、表示画面に表示される情報の変化を検出して、表示画像の表示形態を制御する表示装置を提供することを課題とする。
【課題を解決するための手段】
【００１３】
この発明は、画像を含む表示情報を表示画面に表示する表示部と、映像信号を含む表示信号を入力する信号入力部と、前記表示画面に表示される情報の変化を検出すべき特定領域を設定する設定入力部と、前記信号入力部によって入力された表示信号から生成された表示画面全体の表示情報を入力画像として記憶する第１記憶部と、前記第１記憶部に記憶された入力画像から、前記設定された特定領域に属する表示情報を抽出する比較画像抽出部と、比較画像抽出部によって抽出された表示情報を、比較画像として記憶する第２記憶部と、前記信号入力部によって入力された表示信号から生成された前記特定領域の表示情報と、第２記憶部に記憶されていた比較画像とを比較して、その特定領域の画像の変化を検出する変化検出部と、前記変化検出部により変化を検出することにより、表示画面の一部の領域であって前記特定領域に予め関係づけられた明るさを制御する表示領域の明るさを上げるように表示制御をする表示制御部とを備えることを特徴とする表示装置を提供するものである。
【００１４】
これによれば、利用者が予め設定された特定領域の画像の変化を検出することにより、その特定領域に関係づけられた表示領域の明るさを自動的に上げるようにしているので、利用者が意図した表示領域に表示される画像を、利用者により分かりやすく表示でき、表示画面全体の明るさを上げる場合よりも消費電力を抑えることができる。
【００１５】
この発明の表示情報とは、画像の他に、文字，記号，図形などの人間が視覚によって認識することのできるあらゆる情報を含み、画像としては、主に静止画である（画面全体でない部分的な動画表示も、可能）。
また、これらの表示情報が表示画面に表示された場合、利用者の操作や定期的な自動更新等によって、表示画面全体やその一部分が変更されることがあるが、この発明では、表示画面の中で、利用者が情報が変化したことを検出したいと考えて、自ら設定した部分領域が、特定領域である。特定領域は、表示画面全体であってもよいが、この発明では、局所的な情報の変化を有効に利用するという観点から、表示画面の一部分であることが好ましい。
また、この発明において、明るさを制御する表示領域とは、表示画面の中で、表示の明るさを他の表示領域とは異なる明るさに変更する表示領域を意味する。明るさを制御する表示領域は、表示画面全体でもよいが、利用者の意図した部分を注目できるようにするために、利用者が設定した表示画面の一部分であることが好ましい。
【００１６】
この発明では、「特定領域」と、「明るさを制御する表示領域」とは、特定領域が表示情報の変化を検出する表示領域であり、一方明るさを制御する表示領域は特定領域の中の表示情報に変化があったことが検出されたときに、表示の明るさを変更させる表示領域という関係にある。
ここで、後述するように、特定領域と明るさを制御する表示領域とが同一の場合もあれば、異なる領域の場合もあり、特定領域が明るさを制御する表示領域に含まれる場合もある。
【００１７】
また、上記した第１記憶部と第２記憶部は、どちらも後述する図１の記憶部４の一部分に相当し、第１記憶部に記憶される情報が入力画像４３であり、第２記憶部に記憶される情報が比較画像４４である。
【００１８】
また、前記設定入力部は、表示画面上の任意の２点以上を指示入力することにより、前記特定領域を設定する範囲設定部を備えることを特徴とする。
これによれば、利用者の意図した大きさや形状を持つ特定領域を、画面上の意図した位置に容易に設定できる。
【００１９】
さらに、前記表示部に表示された表示画像がＮ個（Ｎ≧２）の分割画面に分割されている場合、前記設定入力部は、Ｎ個の分割画面のうち、いずれか１つ以上の分割画面を選択させることにより、前記特定領域を設定する領域選択部を備えることを特徴とする。
これによれば、利用者は容易に、分割画面を特定領域に設定することができる。
【００２０】
また、領域選択部によって、選択された分割画面を、前記明るさを制御する表示領域にも設定してもよい。
さらに、設定入力部は、前記設定された特定領域と関係づけた明るさを制御する表示領域を、表示画面上の任意の位置に設定する明るさ制御領域設定部を備えてもよい。
これによれば、明るさを制御する表示領域を、特定領域とは別に、利用者が容易に設定することができる。
【００２１】
また、前記変化検出部が変化を検出する表示領域が、前記特定領域であり、前記表示制御部が明るさを制御する表示領域も同じ特定領域であることを特徴とする。
これによれば、画像の変化を検出する領域と、検出時に明るさを上げる領域とが同じなので、利用者は変化のあった画像そのものを容易に、分かりやすく見ることができる。
【００２２】
また、前記変化検出部が変化を検出する表示領域が、前記特定領域であり、前記表示制御部によって明るさを制御する表示領域が、前記領域選択部によって選択された分割画面であることを特徴とする。
これによれば、利用者は画像の変化が検出された特定領域に関係づけられた表示領域の画像を、分かりやすく見ることができる。
【００２３】
また、前記変化検出部は、前記現在の表示信号から生成された特定領域の表示情報と、前記比較画像との各画素どうしの変化の値の差が所定値以上の場合に、前記特定領域の画像に変化があったと判断することを特徴とする。
【００２４】
また、前記表示制御部が明るさを制御する表示領域の明るさを上げる制御をした後、所定の時間が経過した場合に、予め設定されていた省電力状態の明るさ値に基づいて、表示制御部が表示画面全体の明るさを下げるように表示制御することを特徴とする。
【００２５】
さらに、この発明は、コンピュータを、画像を含む表示情報を表示画面に表示する表示手段と、映像信号を含む表示信号を入力する信号入力手段と、前記表示画面に表示される情報の変化を検出すべき特定領域を設定する設定入力手段と、前記信号入力手段によって入力された表示信号から生成された表示画面全体の表示情報を入力画像として記憶する第１記憶手段と、前記第１記憶部に記憶された入力画像から、前記設定された特定領域に属する表示情報を抽出する比較画像抽出手段と、比較画像抽出手段によって抽出された表示情報を、比較画像として記憶する第２記憶手段と、前記信号入力手段によって入力された表示信号から生成された前記特定領域の表示情報と、第２記憶手段に記憶されていた比較画像とを比較してその特定領域の画像の変化を検出する変化検出手段と、前記変化検出手段により変化を検出することにより、表示画面の一部の領域であって前記特定領域に予め関係づけられた明るさを制御する表示領域の明るさを上げるように表示制御をする表示制御手段として機能させるための、表示制御プログラムを提供するものである。
【発明の効果】
【００２６】
この発明によれば、表示画面上に予め設定された特定領域の画像の変化を検出した場合に、その特定領域に予め関係づけられた表示画面の一部の表示領域の明るさを上げるようにしているので、利用者が意図した表示領域に表示される画像を、利用者に分かりやすく表示させることができる。
また、表示画面全体の明るさを上げるのではなく、表示画面の一部の表示領域の明るさを上げるので、消費電力を抑えることができる。
【図面の簡単な説明】
【００２７】
【図１】この発明の表示装置の一実施例の構成ブロック図である。
【図２】この発明の特定領域の設定処理の一実施例の説明図である。
【図３】分割画面表示をしている場合において、特定領域の設定処理の一実施例の説明図である。
【図４】この発明の表示装置の表示制御における実施例１の説明図である。
【図５】この発明の表示装置の表示制御における実施例２の説明図である。
【図６】この発明の表示装置の表示制御における実施例３の説明図である。
【図７】この発明の特定領域の範囲設定処理のフローチャートである。
【図８】この発明の特定領域の移動および大きさ変更処理のフローチャートである。
【図９】この発明の分割画面の選択処理のフローチャートである。
【図１０】この発明の分割画面の選択追加処理のフローチャートである。
【図１１】この発明の表示装置の表示制御のフローチャートである。
【発明を実施するための形態】
【００２８】
以下、図に示す実施例に基づいて、この発明を説明する。
なお、これによって、この発明が限定されるものではない。
【００２９】
＜この発明の表示装置の構成＞
図１に、この発明の表示装置の一実施例の構成ブロック図を示す。
この発明の表示装置は、主として、信号入力部１、設定入力部２、表示部３、記憶部４、比較画像抽出部５、変化検出部６、制御領域決定部７、表示制御部８とから構成される。
この発明の表示装置は、文字や画像等の情報を表示可能なものであればよく、特に種類や表示情報の内容を特定するものではない。例えば、ＣＲＴ，ＬＣＤ，ＰＤＰ，有機ＥＬなど種々の表示装置を用いることができる。
【００３０】
信号入力部１は、この表示装置に入力すべき映像信号を含む表示信号を入力させる部分である。
入力される映像信号としては、例えば、パソコンなどのコンピュータや、ＣＤやＤＶＤなどの記録媒体に記録された画像を再生する画像再生装置から出力された信号などがある。
一般的に、映像信号は、輝度信号，色信号，同期信号などの情報を含む構成となっている。
また、具体的な映像信号としては、PC信号入力（DVI端子、D-SUB端子、RGB端子）やAV信号入力（HDMI端子、D端子、コンポーネント端子、コンホ゜シ゛ット端子、S端子）などがあり、又アナログ信号でも、デジタル信号のどちらでもよい。入力される映像信号がアナログ信号の場合は、主に入力画像の変化検出等の処理をするため、デジタル信号に変換するＡ／Ｄコンバータを備える。
【００３１】
信号入力部１から入力された映像信号は、入力画像４３として、記憶部４に格納される。この入力画像４３としては、例えば、デジタル化された画素ごとの輝度値や色データなどが含まれる。
【００３２】
設定入力部２は、利用者の操作により、表示画面の中の特定の範囲を設定したり、各種指示情報を入力する部分である。特に、表示画面に表示される情報の変化を検出すべき特定領域を設定する部分である。
例えば、キーボード、マウス、トラックボール、スイッチ、タッチパネルなどの入力デバイスが、設定入力部２として用いられる。
本発明では、設定入力部２は、利用者が表示画面上の任意の表示範囲を設定する範囲設定部２１と、表示画面が予め領域分割されている場合に特定の領域（分割画面）を選択する領域選択部２２と、明るさ制御領域設定部２３とを備える。
以下、画像の変化を検出する領域として、設定された表示範囲や選択された分割画面を、特定領域と呼ぶ。
【００３３】
範囲設定部２１としては、マウスやタッチパネルなどが用いられ、表示画面上の任意の２点以上を指示入力することにより、特定領域を設定する部分であり、たとえば利用者が設定したい長方形状の表示範囲の左上点と右下点とを、指示入力するものである。
領域設定部２２としては、キーボートやタッチパネルなどが用いられ、表示部に表示された表示画像がＮ個（Ｎ≧２）の分割画面に分割されている場合、そのＮ個の分割画面のうち、いずれか１つ以上の分割画面を選択させることにより、特定領域を設定する部分である。たとえば利用者が、各分割画面について予め設定された特定の番号を入力したり、画面上の分割画面のうち選択したい画面の内部をタッチ入力して、特定領域を選択するものである。
明るさ制御領域設定部２３としては、キーボード，マウス，タッチパネルなどが用いられ、予め設定された特定領域と関係づけられる明るさを制御する表示領域を、利用者の入力操作により設定する部分である。これにより、明るさを制御する表示領域は、特定領域とは別に、独立して、利用者により、表示画面上の任意の位置に設定される。
【００３４】
表示部３は、文字、画像などからなる表示情報を表示する表示パネルであり、上記したように、ＣＲＴ，ＬＣＤ，ＰＤＰなどの種々のものが用いられる。
表示部３に表示される情報は、表示制御部８により生成される。
【００３５】
記憶部４は、各種情報を記憶しておく部分であり、ＲＯＭ，ＲＡＭなどの半導体記憶素子の他、ハードディスク、フラッシュメモリ、ＣＤ、ＤＶＤなどの記録媒体が用いられる。書き換えが必要な情報は、ハードディスクなどの不揮発性の記録装置や媒体に記憶される。
記憶部４に記憶される情報としては、主として、設定情報４１、比較情報４２、入力画像４３、比較画像４４、表示制御情報４５などがある。ただし、これに限るものではなく、この表示装置で行う表示制御処理のプログラムも記憶される。
このようなプログラムは、予めＲＯＭやＣＤ−ＲＯＭなどの固定記録素子や記録媒体で提供してもよく、あるいはサーバなどの遠隔地のコンピュータからネットワークを介してダウンロードし、ハードディスクに格納するようにしてもよい。
【００３６】
記憶部４の設定情報４１とは、設定入力部２により設定された情報を意味し、利用者により予め設定される。
例えば、範囲設定部２１によって設定された表示範囲を特定する情報であり、表示範囲の左上点と右下点の画面上の位置を示す座標データが、設定情報４１に相当する。
また、領域選択部２２によって選択された分割画面の番号ｎが、設定情報４１に相当する。
【００３７】
比較情報４２は、変化検出部６によって行われる画像の変化の有無の判断に用いられる情報であり、例えば、画素ごとの輝度値のしきい値や、変化の有無を判断する経過時間である。
例えば、設定された特定領域内において、画素ごとの輝度が、このしきい値よりも低い状態から高い状態に変化した場合や、或いはしきい値よりも高い状態から低い状態に変化した場合に、画像の変化があったと判断される。
【００３８】
また、経過時間（Ｔ）は、上記のような輝度の変化が継続して生じている場合に変化があったと判断するときの、その継続時間を意味する。すなわち、経過時間（Ｔ）を設定した場合には、経過時間Ｔを超えて継続して輝度の変化が生じた時に、変化があったと判断し、経過時間Ｔよりも短い時間だけ輝度の変化が生じていた場合には、変化がないと判断する。
【００３９】
入力画像４３は、信号入力部１を介して入力された表示信号から生成される表示画面全体の表示情報である。たとえば入力された映像信号をデジタル化した画像データを記録したものであり、表示画面全体に表示される１画面分全体の各画素ごとの情報を意味し、主として、その画素ごとの位置情報（アドレス）と、輝度と色の情報（データ)とから構成される。
また、入力画像４３は、現在入力されている最新の映像信号による画像データを意味する。
【００４０】
比較画像４４は、比較画像抽出部５によって抽出された表示情報であり、変化検出部６による変化検出処理のときに用いられる画像データである。
比較画像４４としては、あるタイミングで入力された映像信号に対する画像データすなわち表示画面全体の画像データであってもよく、あるいは設定入力部２によって設定された特定領域の中の画像データであってもよい。
ただし、この発明では、設定された特定領域に属する表示情報を比較画像として用い、特に、範囲設定部２１によって設定された表示範囲（特定領域）の中の画像データや、領域選択部２２によって選択された分割画面の中の画像データが、比較画像４４として、用いられる。
【００４１】
表示制御情報４５は、変化検出部６によって変化が検出された場合に、明るさを制御すべき表示領域を決める情報であり、制御領域決定部７によって生成される情報である。
表示制御情報４５としては、例えば、明るさを制御する表示領域を特定する情報、その表示領域の明るさを上げるか下げるかの情報、および制御すべき明るさ値を特定する情報などからなる。この表示制御情報４５に基づいて、表示制御部８が、表示画像の明るさを制御する。
【００４２】
比較画像抽出部５は、信号入力部１から入力され記憶部に記憶された入力画像４３の中から、設定された特定領域に属する表示情報を抽出する部分であり、上記した比較画像４４を抽出する部分である。
比較画像の抽出処理は、例えば範囲設定部２１によって特定の表示範囲（特定領域）が設定されている場合、あるタイミングで入力された表示画面全体の入力画像４３の画像データから、設定された特定の表示範囲の中の画像データのみを読み出すことにより行う。
抽出された画像データは、比較画像４４として、記憶部４に記憶される。
【００４３】
変化検出部６は、入力された入力画像４３のうち、比較画像に対応する部分の画像データに変化があったか否かを検出する部分である。
ここで、変化があったか否かの判断は、現在入力された表示信号に対応した入力画像４３から生成された特定領域の表示情報と、比較画像抽出部５によって抽出され記憶部に予め記憶された比較画像４４とを比較して行う。
比較画像４４として記憶された画像データが、設定入力部２によって設定された表示画面の一部分である特定領域の画像データである場合は、比較する入力画像４３も、表示画面全体の画像データではなく、その特定領域に属する画像データである。
すなわち、表示画面全体の入力画像４３から特定領域の画像データを抽出し、この抽出した画像データと比較画像４４の画像データとを比較する。
【００４４】
比較処理は、現在の表示信号から生成された特定領域の表示情報と、比較画像の対応する画素ごとに行い、両画像の各画素どうしの輝度値データに差があるか否かを判断することにより行えばよい。比較画像全体の各画素の輝度値データの内にどの程度変化した画素があるかをチェックする。すなわち、特定領域内で変化した各輝度値データが一定値以上の割合に達した場合に、特定領域の画像に変化があったと判断する。
また、特定領域の中のある画素領域Ｇ１について、比較画像４４として記憶されていたその画素領域Ｇ１の輝度値データをＧＬ１からＧＬｎ、現在の入力画像４３として入力された画素領域Ｇ２の輝度値データをＧＬ２からＧＬｎ、比較情報４２として記憶された画像領域のうち変化した輝度値データがｍ個でその割合のしきい値をＰ％とした場合、比較情報４２として記憶された経過時間をＴとしたとき、ｎ  Ｘ（Ｐ/100）＜ｍであった場合、経過時間Ｔ以上の時間、その画像領域について変化があったと判断してもよい。
また逆に、特定領域の中のある画素領域Ｇ１について、比較画像４４として記憶されていたその画素領域Ｇ１の輝度値データをＧＬ１からＧＬｎ、現在の入力画像４３として入力された画素領域Ｇ２の輝度値データをＧＬ２からＧＬｎ、比較情報４２として記憶された画像領域のうち変化した輝度値データがｍ個でその割合のしきい値をＰ％とした場合、比較情報４２として記憶された経過時間をＴとしたとき、ｎ  Ｘ（Ｐ/100）＞ｍであった場合、経過時間Ｔ以上の時間、その画像領域について変化がなかったと判断してもよい。
【００４５】
経過時間Ｔとして設定すべき値は、表示する画像の種類などによって適切な値は異なり、一般的には映像信号入力サイクル（50/60Ｈz）時間ごとにより決定される。
例えば、経過時間Ｔの初期値としては、16ｍsec（1/60）と設定しておき、利用者の設定入力により、経過時間Ｔを任意の値に変更できるようにしてもよい。
【００４６】
また、経過時間Ｔをゼロに設定し、１回でも上記のような変化が検出されたとき、変化ありと判断してもよい。
さらに、変化検出処理は、設定入力部２によって設定された特定領域に属する全ての画素について行う。
例えば、特定領域の画素がＫ個あったとすると、Ｋ個全ての画素の輝度値が変化ありと判断されたときに、その特定領域の画像に変化があったと判断してもよい。
ただし、特定領域の画像に変化があったと判断する基準は、これに限るものではなく、他の基準を用いてもよい。
【００４７】
Ｋ個の画素のうち、５０％以上の画素について変化ありと判断されたときに、特定領域の画像に変化があったと判断してもよく、あるいは、判断の対象とする画素の割合（ａ％，０＜ａ＜１００）を利用者に設定してもらい、特定領域に属する画素のうち、その設定値（ａ％）以上の画素について変化ありと判断された場合に、特定領域の画像に変化があったと判断してもよい。
【００４８】
上記のように、この発明では、現在消費電力を抑えた省電力状態の表示（表示画面全体の明るさ値を低くした表示）を行っていた場合において、特定領域の画像に変化があったと判断されたとき、表示画面の一部の領域であってその特定領域に予め関係づけられた表示領域（明るさを制御する表示領域）の明るさを上げるように、表示制御部８が表示部分の明るさを制御する。
【００４９】
ここで、この発明では、特定領域に変化があったことが検出された場合、表示画面全体の明るさ値を上げるのではなく、予め明るさを制御する表示領域の部分のみの明るさ値を上げることを特徴とする。たとえば、明るさを制御する表示領域として特定領域が設定されていた場合、省電力状態の表示状態において特定領域の部分のみ明るさ値を上げるような表示制御をすることにより、その明るさが上がった特定領域部分が見やすくなるので、利用者に、表示画像に変化があったことをわかりやすく示すことができる。
【００５０】
図１において、制御領域決定部７は、変化検出部６によって、表示画像に変化があったことが検出された場合、表示画像の中で、どの表示領域の明るさを制御するべきかを決定する部分である。
例えば、表示画像に変化があったと判断された場合に、表示画面全体の明るさ値を上げるように設定されている場合、明るさを制御する表示領域としては、表示画面全体に決定し、その決定情報を、表示制御情報４５として生成する。
【００５１】
また、上記したように、予め設定された特定領域の表示画像に変化があったと判断された場合、明るさを制御する表示領域としても、同じ特定領域に決定してもよい。
このとき、省電力状態の表示をしている場合において、変化のあった特定領域のみの明るさを上げることにより、他の部分と区別して、その特定領域の画像をわかりやすく表示することができる。
【００５２】
あるいは、例えば、表示画面全体において、予め４分割表示（分割画面Ａ，Ｂ，Ｃ，Ｄ）がされている場合において、設定された特定領域が、分割画面Ｃの中に属していたとすると、明るさを制御する表示領域として、分割画面Ｃの全体領域に決定してもよい。
【００５３】
また、設定された特定領域が、特定の分割画面に属しているか否かにかかわらず、その特定領域に予め関係づけられている分割画面がある場合、例えば、特定領域は分割画面Ｄに属しているが、領域選択部により分割画面ＡとＢが選択され、かつ特定領域が予めその分割画面ＡとＢとに関係づけられている場合は、その特定領域の画像に変化があったことが検出されたとき、明るさを制御する表示領域として、分割画面ＡとＢに決定してもよい。
【００５４】
また、表示領域を決定するとき、その表示領域の明るさをどのように制御するかも決定する。このとき、表示領域を特定する位置情報に加え、その明るさの制御内容（明るさ値）の情報も、生成される表示制御情報４５に含めることが好ましい。
【００５５】
このように決定された表示領域は、表示制御情報４５に基づいて、表示制御部８によってその表示が制御される。
例えば、制御領域決定部７によって、変化のあった特定領域の座標値と、その特定領域の明るさ値を所定の値に変更することが表示制御情報４５として記憶された場合、表示制御部８は、その特定領域に表示される画像の明るさ値が、上記所定の値となるように制御する。
【００５６】
表示制御部８は、現在入力されている入力画像４３を、表示部３の表示画面全体に表示する部分である。
ただし、表示制御情報４５が設定されている場合は、その情報に基づいて表示を制御する。上記したように、例えば、表示制御情報４５の中に表示する明るさ値が決定されている表示領域Ａがある場合には、その表示領域Ａについては、決定されている明るさ値となるように表示を制御する。
【００５７】
また、明るさを制御する表示領域は、特定領域との関係で自動的に決定してもよいが、予め利用者が、設定入力部２による入力操作により、設定してもよい。
例えば、設定された特定領域を、明るさを制御する表示領域に設定する専用キーを備え、利用者がこのキーを押し下げることにより、特定領域を、明るさを制御する表示領域に設定してもよい。
また、領域選択部２２によって分割画面を選択するときに、特定領域として選択された分割画面を、明るさを制御する表示領域にも設定するようにしてもよい。
【００５８】
さらに、明るさを制御する表示領域を設定する入力モードを設け、明るさ制御領域設定部２３を用いて、後述するような特定領域を設定するのと同様な操作方法で、利用者が、表示画面上の任意の位置を、明るさを制御する表示領域として設定できるようにしてもよい。
【００５９】
このように、利用者によって、明るさを制御する表示領域を予め設定した場合は、その設定情報４１を記憶部４に記憶しておけばよい。
また、消費電力を削減する観点から、明るさを制御する表示領域の明るさを上げる制御をした後、所定の時間が経過した場合に、予め設定されていた省電力状態の明るさ値に基づいて、表示制御部が表示画面全体の明るさを下げるように表示制御してもよい。
【００６０】
以上が、この発明の表示装置の各機能ブロックの説明であるが、図１の比較画像抽出部５、変化検出部６、制御領域決定部７、表示制御部８の各機能ブロックは、ＣＰＵ，ＲＯＭ，ＲＡＭ，Ｉ／Ｏコントローラ、タイマー等を備えたマイクロコンピュータにより実現することができる。
ここで、ＣＰＵが、ＲＯＭ等に予め記憶された制御プログラムに基づいて、各種ハードウェアを有機的に動作させることにより、各機能が実現される。ただし、論理素子やＬＳＩを用いたハードウェアロジック回路で、実現してもよい。
【００６１】
＜特定領域の設定＞
図２に、画像の変化を検出すべき特定領域の設定処理の一実施例の説明図を示す。
図２（ａ）は、表示部３の表示画面全体１００を示したものである。この表示画面全体１００に、信号入力部１によって入力された映像信号に基づく映像が表示される。
【００６２】
図２（ｂ）は、設定入力部２によって設定された特定領域１０１を示したものである。
ここで、利用者の意図する表示制御をするために、特定領域１０１の大きさと位置は、利用者の意図するものに設定できるものとすることが好ましい。この場合、利用者が現在の表示画面を見ながら、画像の変化を検出したい位置を設定できるようにする。
特定領域１０１は、図２（ｂ）に示すように、長方形状とすることが好ましいが、正方形やその他の多角形状であってもよい。更に、特定領域１０１としては、１つの領域のみを設定するようにしてもよいが、分離した２つ以上の領域を設定できるようにしてもよい。
【００６３】
例えば、図２（ｃ）に、特定領域の範囲を設定する方法の一実施例を示す。
図２（ｃ）では、長方形状の特定領域１０１の左上点Ａと右下点Ｂを指示入力することにより、特定領域の範囲を設定する方法を示している。
左上点Ａと右下点Ｂの指示は、例えば、利用者が画面を見ながらマウスによって、マウスカーソルを移動させ、所望の位置を指示する入力をすればよい。この時、指定された左上点Ａと右下点Ｂの画面上の座標値（Ｘ座標、Ｙ座標）を算出し、特定領域を示す設定情報４１として記憶部４に記憶させる。
これらの点の指示は、マウスによる他に、他のポインティングデバイスや、画面上に配置されたタッチパネルでのタッチ入力により行ってもよい。
【００６４】
また、上記のように２つの点を指示入力するのではなく、画面上で任意の３点以上の点を指定して、隣接する２点を直線で結び、これらの直線で囲まれる領域を特定領域としてもよい。
更に、タッチパネルの場合は、ペンで、所望の特定領域の外周全体をなぞるように入力してもよい。この時、ペンで描かれた軌跡で囲まれた領域が、特定領域となる。
【００６５】
図２（ｄ）と図２（ｅ）は、特定領域１０１を一度設定した後、その領域を変更する場合を示している。
図２（ｄ）では、特定領域１０１の位置を変更する例を示している。例えば、破線で示された位置にあった特定領域の内部をマウスで選択し、画面上をドラッグさせて、所望の位置まで移動させればよい。
【００６６】
図２（ｅ）では、特定領域１０１の大きさ（サイズ）を変更する例を示している。例えば、破線で示された特定領域の右下点をマウスで選択したまま、所望の位置まで画面上をドラッグさせる。これにより、特定領域の大きさを、拡大又は縮小することが可能となる。
以上のようにして設定された特定領域１０１の中に表示される画像が、変化検出処理の対象となる。
【００６７】
図３に、表示部３に分割画面表示をさせている場合において、特定領域の設定処理の説明図を示す。
図３（ａ）は、表示画面全体１００に対して、４分割表示をしている場合を示している。分割する画面の数は、４つに限るものではなく、２分割でも６分割でもよい。また、可能ならば、利用者の設定入力によりＮ分割（Ｎ≧２の整数）の表示をさせてもよい。
また、表示画面に複数個のＷＥＢ画面を表示させているような場合は、それぞれのＷＥＢ画面を１つの分割画面とみなすこともできる。
【００６８】
図３（ａ）では、４つの分割画面（Ａ，Ｂ，Ｃ，Ｄ）のうち、分割画面Ｂを、特定領域として選択した例を示している。
この場合、分割画面Ｂの中の画像を、変化検出の対象とする。分割画面の選択は、例えば、予め分割画面にそれぞれ識別番号や記号を付与しておき、利用者がその識別番号ｎをキーボード等を使って入力するようにすればよい。
【００６９】
あるいは、マウスや、タッチパネルを利用して、表示画面上の所望の分割画面を選択入力又はタッチ入力するようにしてもよい。
また、選択が行われたとき、選択された分割画面の情報、例えば、その識別番号ｎや、その分割画面の領域を特定する座標値（Ｘ座標、Ｙ座標）を、設定情報４１として記憶部４に記憶する。
【００７０】
図３（ｂ）は、２つの分割領域（Ｂ，Ｄ）を選択した場合を示している。分割画面の選択は利用者が意図する領域を選択できるようにすることが好ましく、１つの分割画面の選択のみならず、２つ以上の分割画面の選択できるようにしてもよい。
【００７１】
図３（ｃ）は、特定領域１０１の設定と、分割画面の選択とを行った場合の一つの例を示している。ここでは、特定領域１０１が、選択した分割画面Ｂの中に含まれている場合を示している。
このように、特定領域１０１を含む分割画面Ｂが選択された場合、例えば、特定領域１０１の中の画像のみについて変化を検出するものとし、分割画面Ｂの中であって特定領域１０１の外側での領域は変化検出の対象とはしないものとする。
【００７２】
さらに、この特定領域１０１の中で画像の変化が検出された場合は、この特定領域１０１を含む分割領域Ｂの全体の輝度を上げるように表示制御するようにしてもよい。この時、画像の変化検出の対象は、小さな特定領域１０１であるが、変化を検出した後の輝度を変える表示領域は大きな分割画面Ｂとなり、どの分割画面に変化があったかを、利用者は容易に知ることができる。
【００７３】
例えば、４つのＷＥＢ画面（Ａ，Ｂ，Ｃ，Ｄ）を表示している状態で、ＷＥＢ画面Ｂの中の特定領域１０１に所定の変化が生じた場合、そのＷＥＢ画面Ｂの全体を明るく表示させることができ、利用者をそのＷＥＢ画面Ｂに注目させることができる。
【００７４】
図３（ｄ）は、設定された特定領域１０１と、選択された分割画面Ａとが異なる位置にある場合を示している。この場合、例えば、右下の分割画面Ｄの中の特定領域１０１の画像に変化があったとき、分割画面Ａの明るさを上げて表示する。
【００７５】
図３（ｅ）は、特定領域１０１の設定に加えて、２つの分割画面（Ａ，Ｃ）を選択した場合を示している。この場合は、例えば、特定領域１０１の中の画像変化を検出したとき、２つの分割画面（Ａ，Ｃ）を、ともに明るさを上げて表示するようにすればよい。
図２と図３に示したものは一つの実施例であって、この他にも、特定領域の設定と分割画面の選択のバリエーションは種々のものが考えられるが、利用者が、現在表示されている画像の内容を見て選択し、また、変更できるようにすることが好ましい。
【００７６】
＜表示制御の実施例＞
図４に、この発明の表示装置の表示制御の実施例１の説明図を示す。
図４（ａ）は、図２（ｂ）と同一であり、画像の変化を検出する特定領域１０１を設定した状態を示している。図４（ａ）の状態において、信号入力部１から映像信号が入力されると、表示装置の表示画面全体１００に、その映像信号に対応した画像が表示される。
ここで、一定時間以上、特定領域１０１の中に表示された画像に変化がなかったとすると、電力消費を抑えるために、図４（ｂ）のように、表示画面全体１００の明るさ値を下げ、省電力状態の表示とする。
【００７７】
例えば、図４（ａ）の表示状態で、表示画面全体の最大明るさ値がＬ２であったとすると、図４（ｂ）の省電力状態の表示では、最大明るさ値がＬ２よりも低いＬ１（Ｌ１＜Ｌ２）となるように、表示の明るさを制御する。この時、利用者にとっては、表示画面全体１００が暗くなり、全体が見づらくなる。また、省電力状態となったときに、特定領域１０１の中に表示されていた画像（ＩＭＧ０）を、比較画像４４として、記憶部４に記憶する。
【００７８】
図４（ｂ）の省電力状態が継続している時、所定のタイミングで表示画面全体１００の入力画像４３を最新のものに更新する。新たな入力画像４３が記憶されたとき、比較画像抽出部５が、記憶されたその入力画像４３の中から、特定領域１０１の部分の画像データ（ＩＭＧ１）を抽出する。そして、変化検出部６は、特定領域１０１の最新の画像データ（ＩＭＧ１）と、同じ特定領域１０１の比較画像４４（ＩＭＧ０）とを比較し、変化があったと判断できるか否かをチェックする。変化がないと判断された場合は、図４（ｂ）の省電力状態の表示のままである。
【００７９】
一方、変化があったと判断された場合は、図４（ｃ）に示すように、特定領域１０１の中の画像の最大明るさ値をＬ１からＬ２に上げて表示させる。ここで、制御領域決定部７が、明るさを制御する表示領域を、特定領域１０１と決定し、その後、表示制御部８が、制御領域に決定された特定領域１０１の中の画像の最大明るさ値を、所定の明るさ値（Ｌ２）となるように制御する。このとき、特定領域１０１以外の領域の画像は、図４（ｂ）に示したのと同じ明るさ値のままで表示される。
【００８０】
以上のように、省電力状態において、特定領域１０１の中の画像に変化があったことが検出された場合は、図４（ｃ）のように、その特定領域１０１の部分に表示される画像の明るさを上げて表示させる。このとき、利用者が表示画面を見ると、特定領域１０１の部分だけが明るく表示されているので、注目することになる。
すなわち、利用者は、予め設定した特定領域１０１に何か変化があったことを、容易に知ることができ、表示画面全体１００の明るさを上げる場合に比べて、その変化内容を分かりやすく確認することができる。
【００８１】
また、電力消費をできるだけ抑えるという観点からは、図４（ｃ）の表示状態の後、変化がなくなり一定時間が経過した場合には、図４（ｂ）の省電力状態の表示に戻してもよい。
あるいは、利用者に変化後の画像をいつでも確認できるようにするためには、図４（ｃ）の表示状態の後、一定時間が経過しても図４（ｃ）の表示状態をずっと継続するようにしてもよい。図４のような表示制御の例としては、例えば、特定領域１０１の中に、監視画像が表示されている場合などが考えられる。
【００８２】
図５に、この発明の表示装置の表示制御の実施例２の説明図を示す。
図５（ａ）は、図３（ｃ）に示したのと同様に、特定領域１０１の設定と、その特定領域を含む分割画面Ｂの選択が行われた状態を示している。このとき、画像の変化を検出する領域が特定領域１０１であり、その変化が検出された時に、表示の明るさ値を変更する（上げる）領域が分割画面Ｂであるとする。
図５（ａ）の表示状態の時に、特定領域１０１の画像に一定時間以上変化がなかったとすると、図５（ｂ）のように、表示画面全体１００の明るさ値を低くした省電力状態の表示とする（最大明るさ値Ｌ１）。
その後、特定領域１０１の中の画像に変化があったことが検出された場合、特定領域１０１を含む分割画面Ｂの全体の最大明るさ値をＬ２（＞Ｌ１）に上げ、分割画面Ｂの部分を、他の分割画面（Ａ，Ｃ，Ｄ）よりも明るくする（図５（ｃ））。
【００８３】
これによれば、特定領域１０１の画像に変化があったとき、特定領域１０１に関係づけられた分割画面Ｂの全体画像が利用者に注目されやすくなる。すなわち、利用者は、分割画面Ｂのみが明るくなった表示を見ることにより、予め設定していた特定領域１０１に変化があったことを知り、この領域１０１に関係づけられていた分割画面Ｂの中の画像を、表示画面全体１００を明るく表示する場合に比べて、より分かりやすく見ることができる。
【００８４】
また、図５（ｃ）の表示状態において、特定領域１０１に変化がないまま一定時間が経過した場合、図５（ｂ）の省電力状態の表示に戻すことにより、消費電力を抑えることができる。
図５の表示制御の例としては、例えば、分割画面ＢがＷＥＢブラウザ画面であり、その中の特定領域１０１が、定期的に更新される最新ニュース欄の場合が考えられる。
【００８５】
図６に、この発明の表示装置の表示制御の実施例３の説明図を示す。
図６（ａ）は、図３（ｅ）に示したのと同様に、特定領域１０１の設定と、その特定領域に関係づけられた分割画面（Ａ，Ｃ）の選択が行われた状態を示している。このとき、画像の変化を検出する領域が特定領域１０１であり、その変化が検出されたときに、表示の明るさ値を変更する（上げる）領域が、特定領域１０１を含まない分割画面（Ａ，Ｃ）であるとする。
【００８６】
図６（ａ）の表示状態において、分割画面Ｂの中の特定領域１０１の画像に一定時間以上変化がなかったとすると、図６（ｂ）のように、表示画面全体１００の明るさ値を低くした省電力状態の表示とする（最大明るさ値Ｌ１）。
その後、特定領域１０１の中の画像に変化があったとすると、特定領域１０１に関係づけられた分割画面（Ａ，Ｃ）の部分の最大明るさ値をＬ２（＞Ｌ１）に上げ、分割画面（Ａ，Ｃ）の部分を、他の分割画面（Ｂ，Ｄ）よりも見やすくする。
【００８７】
これによれば、特定領域１０１の画像に変化があった場合、その特定領域１０１に関係づけられた分割画面（Ａ，Ｃ）の部分の画像が、利用者に注目されやすくなる。
従って、利用者が予め設定した特定領域の変化に基づいて、利用者自らが確認したいと考えた部分の画像を、より分かりやすく見ることができる。
【００８８】
また、図６（ｃ）の場合も、画像変化がないまま一定時間が経過した場合、図６（ｂ）の表示に戻してもよい。
図６の表示制御の例としては、例えば、特定領域１０１が、最新ニュースの見出し部分で、この領域に関係づけられた分割領域（Ａ，Ｃ）が、更新後のニュースの内容を表示した部分の場合が考えられる。
【００８９】
以上、表示制御の例として３つの実施例を示したが、これに限るものではなく、設定される特定領域の大きさと位置、これに関係づけられて選択される分割画面の位置と数は、表示される画像の種類や内容等によって利用者の意思により自由に設定することが可能である。
また、特定領域１０１と、分割画面とを異なるものとして説明したが、分割画面そのものを１つの特定領域として設定してもよい。この場合は、分割画面の中の画像全体として、変化があったか否かを判断すればよい。
さらに、特定領域１０１とは別に、上記したような明るさを制御する表示領域を、利用者自らが設定してもよい。
【００９０】
＜この発明の表示制御のフローチャート＞
以下に、この発明の表示装置で行われる表示制御の各機能内容について説明する。
図７に、この発明の特定領域の範囲を設定する処理のフローチャートを示す。
これは、図２（ｃ）の範囲設定に関係するフローであり、範囲設定部２１によって行われる処理である。
図１の設定入力部２として、マウスあるいはタブレット（タッチパネル）が設けられているものとする。また、ここでは、図２（ｃ）の長方形状の特定領域の２点（Ａ，Ｂ）を入力するものとする。
【００９１】
まず、ステップＳ１において、利用者による範囲設定入力、例えば、タブレットへの入力あるいはマウスによる範囲設定の入力があるか否かチェックする。例えば、マウスを用いて画面上のマウスカーソルを移動させ、画面上の特定の位置でポインティング動作をすることにより、マウスによる入力が行われる。何らかの入力があれば、ステップＳ２へ進み、なければ、ステップＳ１をループする。
【００９２】
ステップＳ２において、１点目が入力されたか否か、チェックする。
１点目が入力された場合は、ステップＳ３へ進み、既に１点目が入力されている場合は、ステップＳ４へ進む。
ここで、ポインティング動作により、１点目の点（例えば、図２（ｃ）の左上点Ａ）が入力されたとする。このとき、ステップＳ３へ進み、この１点目の画面上の位置座標を、開始点として、記憶部４に記憶する。その後、ステップＳ１へ戻る。
既に１点目が入力されている場合は、ステップＳ４へ進み、その入力が２点目の入力か否か、チェックする。２点目の入力ではないときは、ステップＳ１へ戻る。
【００９３】
２点目（例えば、図２（ｃ）の右下点Ｂ）が入力された場合は、ステップＳ５へ進み、その２点目の画面上の位置座標を、終了点として、記憶部４に記憶する。
ここで、開始点（左上点Ａ）と終了点（右下点Ｂ）とが入力されることにより、長方形状の特定領域１０１の範囲が設定されたことになる。
【００９４】
次に、ステップＳ６において、上記入力の取り消し操作が行われたか否か、チェックする。
例えば、取り消しを意味するキー入力が行われた場合は、ステップＳ９へ進み、記憶した開始点と終了点の位置座標を消去する。その後、ステップＳ１へ戻る。
ステップＳ６で、取り消し操作がされなかった場合、ステップＳ７へ進み、一定時間が経過したか否かチェックする。予め定められた一定時間の経過が確認された後、ステップＳ８へ進み、上記ステップ（Ｓ３，Ｓ５）で記憶された開始点と終了点の位置座標を、特定領域１０１を画定する設定情報４１として、記憶部４に記憶する。この特定領域１０１の設定情報４１は、比較画像抽出部５の処理で用いられる。
以上の処理により、図２（ｂ），（ｃ）に示したような特定領域１０１が設定される。
【００９５】
図８に、一度設定された特定領域１０１の位置及び大きさを変更する処理のフローチャートを示す。
この処理は、図２（ｄ）と図２（ｅ）に関係する処理である。
ステップＳ２１において、記憶部４に記憶されている特定領域１０１の設定情報４１（開始点、終了点の位置座標）を読み出す。
ステップＳ２２において、読み出した設定情報４１を利用して、例えば、図２（ｂ）のような長方形状の特定領域１０１の枠を表示する。
【００９６】
ステップＳ２３において、表示された枠の内部を選択する操作がされたか否か、チェックする。この選択操作がされた場合は、ステップＳ２４へ進み、そうでない場合は、ステップＳ２５へ進む。
【００９７】
枠の内部が選択された場合は、特定領域１０１の移動であると判断され、枠の移動処理を行う。例えば、マウスあるいは指で枠の内部を選択し、その後、選択されたままドラッグする操作がされた場合、枠をその操作方向にドラッグされた距離だけ移動させる（ステップＳ２４）。これば、図２（ｄ）の特定領域１０１の移動に相当する。移動が終了し、ドラッグが中止されると、ステップＳ２３へ戻る。
【００９８】
ステップＳ２５において、枠の線分上を選択する操作がされたか否か、チェックする。枠の線分上が選択された場合、ステップＳ２６へ進み、そうでない場合はステップＳ２７へ進む。枠の線分上が選択された場合は、特定領域１０１の大きさの変更であると判断される。例えば、マウスあるいは指で枠の線分上あるいは頂点上を選択し、その後選択されたままの状態でドラッグする操作がされた場合、選択された線分の移動に対応させて、枠の大きさを変更する（ステップＳ２６）。これは、図２（ｅ）の特定領域１０１のサイズの変更に相当する。
サイズの変更が終了し、ドラッグが中止されると、ステップＳ２３へ戻る。
【００９９】
ステップＳ２７において、ステップＳ２４又はＳ２６で特定領域の移動又はサイズ変更が行われた場合には、その処理後の枠の位置及び大きさの情報が、現在の特定領域の設定情報４１として記憶される。
以上のような操作をすることにより、利用者は、意図した位置に意図した大きさの特定領域１０１を設定することができる。
【０１００】
図９に、分割画面表示をしている場合について、分割画面を選択する処理のフローチャートを示す。この処理は、図３（ａ）に示すような分割画面表示をしている場合に、１つの分割画面を選択する処理に相当する。
ここでは、図３（ａ）に示すように、４分割画面表示をしているものとし、４つの分割画面（Ａ，Ｂ，Ｃ，Ｄ）に対して、それぞれ、分割画面の番号（１，２，３，４）が予め付与されているものとする。
また、各番号に相当する分割画面の位置情報（座標値）が、記憶部４に記憶されているものとする。
【０１０１】
ステップＳ１１において、分割画面の番号を意味する変数ｎを１に初期化する。
ステップＳ１２において、番号ｎの分割画面の位置情報を、記憶部４から読み出す。
ステップＳ１３において、現在選択されている番号ｎの分割画面の部分の位置を、視覚的に識別表示する。例えば、その分割画面の外枠を他の分割画面とは異なる色で表示したり、その分割画面全体を点滅表示したり、あるいは、他の分割画面とは異なる明るさで表示するようにすればよい。
これにより、利用者に、現在選択しようとしている分割画面の位置を、わかりやすく知らせることができる。
【０１０２】
ステップＳ１４において、利用者による選択確定入力があるか否かを、チェックする。例えば、選択確定を意味する専用キーの入力があったか否か、チェックする。
ステップＳ１４において、その確定入力があった場合、ステップＳ１６へ進み、現在の番号ｎの分割画面を、特定領域として設定する。この時、分割画面を、画像の変化を検出する特定領域に設定する場合は、分割画面の番号ｎを、特定領域の設定情報４１として記憶する。
【０１０３】
あるいは、分割画面とは別に画像の変化を検出する特定領域を予め設定しておき、分割画面を、変化を検出した場合に明るさ値を変更させる領域（明るさを制御する表示領域）とする場合は、その分割画面の番号ｎは、特定領域に関係づけられた分割画面の設定情報として、記憶部４に記憶する。
ステップＳ１６の処理により、分割表示画面の選択処理が終了する。たとえば、図３（ａ）の場合、分割画面Ｂが選択されていたとすると、この分割画面Ｂを特定する番号ｎが記憶される。
【０１０４】
ステップＳ１４において、確定入力がなかった場合、ステップＳ１５へ進み、次の候補を選択するための専用キーが入力されたか否か、チェックする。このキー入力がなければ、ステップＳ１４へ戻る。
【０１０５】
一方、次の候補を選択するための専用キーの入力があった場合は、ステップＳ１７へ進む。ステップＳ１７において、現在の変数ｎの値が４であるか否か、チェックする。ここで、現在４分割表示としているので、４と比較するが、一般に、Ｍ分割表示をしている場合は、Ｍの値と比較する。
ｎ＝４であれば、ステップＳ１９へ進み、ｎを初期値の１に設定し、ステップＳ１２へ戻る。ｎ＝４でなければ、ステップＳ１８へ進み、ｎに１を加算し、ステップＳ１２へ戻る。
【０１０６】
図１０に、複数個の分割画面を選択する場合のフローチャートを示す。
例えば、図３（ｂ）のように、２つの分割画面（Ｂ，Ｄ）を選択する場合の処理に相当する。
図９では、１つの分割画面を選択する処理であったのに対し、図１０では、２以上の分割画面を選択するか、又は、選択する分割画面を追加する処理である点が異なる。
図１０において、図９と同じステップには同一のステップ番号を付与している。すなわち、ステップＳ１１からＳ１９までは、図９の処理と同一であり、ステップＳ２０が追加された点が異なる。
【０１０７】
ステップＳ１６では、利用者の確定入力操作により、１つの分割画面が選択されるが、その後、ステップＳ２０において、選択処理を終了するキー入力がされたか否か、チェックする。例えば、選択終了を意味する専用キーが押された場合、選択処理を終了し、選択すべき分割画面が確定する。
【０１０８】
また、ステップＳ２０において、選択終了の専用キーが押されない場合は、ステップＳ１５へ戻り、分割画面の次の候補を選択するためのキー入力があるか否か、チェックする。以後の処理は、図９に示したものと同様である。
【０１０９】
図１０では、選択終了を意味する専用キーが押されるまで、ステップＳ１４からＳ１６までの処理を繰り返し、２回以上の選択確定入力があった場合には、ステップＳ１６において、２つ以上の分割画面の番号ｎが、記憶部４に設定情報４１として記憶される。
【０１１０】
＜表示制御処理の一実施例＞
次に、この発明の表示装置の表示制御処理の一実施例について説明する。
図１１に、この発明の表示装置の表示制御のフローチャートを示す。
ここでは、表示部の表示状態を省電力状態にするときに、予め設定された特定領域の部分に表示される画像を比較画像（ＩＭＧ０）として記憶しておき、その後入力される表示画面全体の現在の入力画像のうちその特定領域の部分の入力画像（ＩＭＧ１）と、比較画像（ＩＭＧ０）とを比較する。
【０１１１】
この比較の結果、変化があったと判断された場合は、その特定領域の部分に表示される画像の明るさを上げて表示するようにする。あるいは、特定領域と関係づけられた分割領域が選択されている場合は、その分割領域に表示される画像の明るさを上げて表示する。
これにより、利用者が設定した特定領域に変化があった場合に、利用者が設定又は選択した部分の画像が明るく表示されるので、利用者は知りたい情報をよりわかりやすく認識することができる。
【０１１２】
図１１のステップＳ１０１において、まず、記憶部４に記憶された特定領域の設定情報４１を読み出す。ここで、特定領域１０１が、図２（ｃ）のように、その外枠の範囲が設定されたときは、設定情報４１として、開始点と終了点の座標値が読み出される。
また、図３（ａ）のように、特定領域１０１として分割画面が選択されていたときは、設定情報４１としては、その分割画面の番号ｎが読み出され、その分割画面の表示画面上の位置座標が特定される。
【０１１３】
ステップＳ１０２において、比較画像抽出部５が、現在信号入力部から入力されている表示画面全体の画像のうち、特定領域１０１の現在の入力画像を抽出する。
この抽出された入力画像を、比較画像４４（ＩＭＧ０）として、記憶部４に記憶する。
【０１１４】
ステップＳ１０３において、表示画面全体を省電力状態に設定し、表示画面全体の明るさ値を、所定の値（例えば、明るさ値Ｌ１）まで下げる。即ち、表示画面全体の表示を暗くし、消費電力を低くする。この時、例えば、図４（ｂ）のように、利用者は、表示された画像全体が見にくい状態となっている。
【０１１５】
ステップＳ１０４において、信号入力部１を介して、表示画面全体の最新の入力情報を取得する。この最新の入力情報は、入力画像４３として、記憶部４に記憶される。
ステップＳ１０５において、比較画像抽出部５が、ステップＳ１０４で取得した表示画面全体の最新の入力画像４３から、特定領域１０１の部分の現在の入力画像（ＩＭＧ１）を抽出する。
【０１１６】
ステップＳ１０６において、変化検出部６が、比較画像（ＩＭＧ０）と、特定領域の現在の入力画像（ＩＭＧ１）とを比較する。
ここで、例えば、両画像の画素ごとに輝度値を比較し、所定の輝度値のしきい値を中心として、そのしきい値を上回るような輝度変化や、しきい値を下回るような輝度変化がある画素が、所定数以上ある場合には、その特定領域の画像に変化があったと判断する。
【０１１７】
一方、両画像のある画素の輝度値がどちらもしきい値よりも低い状態であるか、どちらもしきい値よりも高い状態であるなど、両者の画像の輝度値の間に、所定値以上の大きな差がない場合には、「変化なし」と判断する。
「変化なし」と判断された場合は、ステップＳ１０７へ進む。この時、表示画像に変化がなかったので、利用者に知らせる有益な情報はないと考え、表示は、省電力状態のままである。
【０１１８】
ステップＳ１０７において、ステップＳ１０４の処理と同様に、信号入力部１から、表示画面全体の最新の入力情報を取得する。
ステップＳ１０８において、取得した最新の入力情報の中に、更新情報があるか否か、チェックする。ここで、例えば、特定領域の設定情報と更新情報とのデータが一致しているかどうかで判断する。
【０１１９】
ステップＳ１０８において、更新情報がない場合は、ステップＳ１０９へ進み、省電力状態を含む表示制御を中止する終了コマンドの入力があるか否かを、チェックする。
ここで、終了コマンドを意味するキー入力があれば、処理を終了するが、キー入力がない場合は、ステップＳ１０７へ戻る。
一方、ステップＳ１０８において、更新情報がある場合は、ステップＳ１１０へ進み、記憶部４に記憶された入力画像４３を、ステップS107で取得した最新の入力情報に更新する。その後、ステップＳ１０５へ戻り、上記したような、画像の変化の有無をチェックする。
【０１２０】
ステップＳ１０６において、「変化有り」と判断された場合、ステップＳ１１１へ進む。この時、特定領域に画像の変化があったので、この特定領域や分割領域など、設定された明るさを制御すべき表示領域に対して、明るさを上げる制御をする（ステップＳ１１１からＳ１１４）。
【０１２１】
まず、ステップＳ１１１において、制御領域決定部７が、明るさを制御すべき表示領域を決定する。ここで、設定情報４１として、予め記憶された特定領域の情報や、分割画面の情報が利用される。
例えば、図３（ｄ）のように、選択された分割画面Ａが、明るさを制御する表示領域として決定される。また、図４（ａ）のように、特定領域１０１のみが設定されているときは、この特定領域１０１が制御すべき表示領域として決定される。
【０１２２】
次に、ステップＳ１１２において、決定された表示領域の設定情報４１を読み出す。例えば、分割画面Ａの番号ｎや、表示画面上の位置座標を取得する。
ステップＳ１１３において、決定された表示領域に対する表示制御情報４５を生成する。
ここで、表示制御情報４５としては、例えば、決定された表示領域の位置を示す情報、変更後の明るさ値ｄなどからなる。
【０１２３】
ステップＳ１１４において、上記のように生成された表示制御情報４５に基づいて、表示制御部８が、決定された表示領域の明るさを制御する。例えば、図４の場合は、図４（ｂ）の表示状態から、図４（ｃ）の表示状態となるように、特定領域１０１の明るさが制御される。また、図５の場合は、図５（ｂ）から図５（ｃ）の表示状態となるように、分割画面Ｂの明るさを上げる制御がされる。
これにより、利用者が予め設定した部分が、明るくなり、見やすくなる。
【０１２４】
次のステップＳ１１５，Ｓ１１６及びＳ１１７の処理は、それぞれステップＳ１０７，Ｓ１０８及びＳ１１０と同じ処理である。すなわち、新たな入力画像を取得し、更新情報の有無をチェックして、更新情報が有れば、記憶されていた入力画像４３を、その新たな画像に更新する。
【０１２５】
ステップＳ１１６またはＳ１１７の後、ステップＳ１１８へ進み、予め設定されていた一定時間が経過したか否か、チェックする。
この一定時間は、消費電力の節約のために、図４（ｃ）に示すように明るさを制御した後の表示画面の状態から、省電力状態へ戻すまでの時間に相当する。
【０１２６】
ステップＳ１１８において、一定時間が経過していない場合は、ステップＳ１１５へ戻る。
一方、一定時間が経過したときは、ステップＳ１０２へ戻る。この時、新たに取得した入力画像から、新たな比較画像４４を抽出して記憶し（ステップＳ１０２）、表示画面全体の明るさを下げ、省電力状態に戻す（ステップＳ１０３）。
【０１２７】
ここでは、例えば、図４（ｃ）の表示状態から、特定領域の画像に変化がないまま一定時間が経過した場合は、図４（ｂ）の表示状態に戻すことになる。
同様に、図６（ｃ）の表示状態から、一定時間が経過した場合は、図６（ｂ）の表示状態に戻すことになる。
以上が、この発明の表示制御処理の一実施例のフローである。
【０１２８】
これにより、利用者が、画像変化を検出したい特定領域を設定しておき、さらに、この特定領域あるいはこの特定領域に関係する分割領域を、明るさを制御すべき表示領域として設定選択しておくことにより、特定領域の画像に変化が生じた場合には、自動的に特定領域等の表示を見やすくすることができる。
この発明では、明るさを上げる表示領域は、表示画面全体ではなく、一部の領域であるため、消費電力を抑えつつ、利用者にとって重要な部分の画像を見やすく、わかりやすい表示とすることができる。
【符号の説明】
【０１２９】
１    信号入力部
２    設定入力部
３    表示部
４    記憶部
５    比較画像抽出部
６    変化検出部
７    制御領域決定部
８    表示制御部
４１    設定情報
４２    比較情報
４３    入力画像
４４    比較画像
４５    表示制御情報
１００    表示画面全体
１０１    特定領域
【図１】
2010282127.tif 000003
【図２】
2010282127.tif 000004
【図３】
2010282127.tif 000005
【図４】
2010282127.tif 000006
【図５】
2010282127.tif 000007
【図６】
2010282127.tif 000008
【図７】
2010282127.tif 000009
【図８】
2010282127.tif 000010
【図９】
2010282127.tif 000011
【図１０】
2010282127.tif 000012
【図１１】
2010282127.tif 000013